(57)【要約】【課題】輝度低下を招かずに、動画表示品位を向上する。【解決手段】表示部１１は、表示領域が走査信号線の並ぶ方向に互いに独立して駆動可能な第１および第２表示部１１ａ，１１ｂに分割され、走査信号線が各表示部同士で並行して走査される。制御回路１４は、１フレーム中の複数の期間において各表示部の走査信号線が順次選択され、各表示部が１周期中に複数の期間の数だけ繰り返し走査されるように第１および第２信号線駆動回路１３ａ，１３ｂを制御する。さらに、これら信号線駆動回路１３ａ，１３ｂには、複数の期間のうちの少なくとも１期間において、入力画像信号に対応した表示データと入力画像信号に基づいて作成した補間表示データとの何れか一方のデータを与え、複数の期間のうちの少なくとも他の１期間において、他方のデータを与える。【選択図】  図１
2004309657.tif 000002
【特許請求の範囲】
【請求項１】
複数の走査信号線、これら走査信号線と交差するように設けられた複数のデータ信号線、およびこれら両信号線の交差部に対応してマトリクス状に配置された画素を有し、表示領域が走査信号線の並ぶ方向において互いに独立して駆動可能な複数の表示部に分割され、選択された走査信号線に対応する画素にデータ信号線の表示信号が書き込まれるデータ保持型の表示手段と、
前記走査信号線を順次選択する走査信号線駆動手段と、
前記複数の表示部毎に設けられ、入力した表示データに対応する表示信号をデータ信号線に供給するデータ信号線駆動手段と、
前記走査信号線が各表示部同士において並行して走査され、かつ前記表示手段での表示における１周期中の複数の期間において各表示部の走査信号線がそれぞれ順次選択され、これにより各表示部が前記１周期中に前記複数の期間の数だけ繰り返し走査されるように前記走査信号線駆動手段を制御するとともに、各表示部のデータ信号線駆動手段には、前記複数の期間のうちの少なくとも１期間において、入力画像信号に対応した表示データと入力画像信号に基づいて作成した補間表示データとの何れか一方のデータを与え、前記複数の期間のうちの少なくとも他の１期間において、他方のデータを与える制御手段とを備えていることを特徴とするデータ保持型表示装置。
【請求項２】
前記表示手段の表示領域は第１の表示部と第２の表示部とに分割され、
前記制御手段は、前記表示手段での表示における１周期中の第１の期間とこれに隣接する第２の期間とにおいて、第１および第２の表示部の走査信号線がそれぞれ順次選択され、これにより第１および第２の表示部が前記１周期中に２回繰り返し走査されるように前記走査信号線駆動手段を制御するとともに、第１の表示部のデータ信号線駆動手段には、前記第１の期間において入力画像信号に対応した表示データを与え、前記第２の期間において入力画像信号に基づいて作成した補間表示データを与え、第２の表示部のデータ信号線駆動手段には、前記第１の期間において入力画像信号に基づいて作成した補間表示データを与え、前記第２の期間において入力画像信号に対応した表示データを与えることを特徴とする請求項１に記載のデータ保持型表示装置。
【請求項３】
前記補間表示データは、このデータに基づく表示を行う表示部に対応した現１周期の現画像信号とこの現画像信号の１周期前または１周期後の隣接画像信号とを使用して作成されることを特徴とする請求項１または２に記載のデータ保持型表示装置。
【請求項４】
前記補間表示データの信号レベルは、現画像信号のレベルと隣接画像信号のレベルとが異なる場合に、これら両信号レベルの小さい方の信号レベルよりも大きく、かつ大きい方の信号レベルよりも小さいレベルに設定されることを特徴とする請求項３に記載のデータ保持型表示装置。
【請求項５】
前記補間表示データの信号レベルは、現画像信号のレベルと隣接画像信号のレベルとが異なる場合に、これら両信号レベルの平均レベルに設定されることを特徴とする請求項４に記載のデータ保持型表示装置。
【請求項６】
前記制御手段は、前記補間表示データを演算により作成する演算手段を備えていることを特徴とする請求項１または２に記載のデータ保持型表示装置。
【請求項７】
前記表示手段での表示における１周期は、入力画像信号の１フレーム周期であることを特徴とする請求項１または２に記載のデータ保持型表示装置。
【請求項８】
前記第１の期間と第２の期間とは１／２フレーム周期ずれていることを特徴とする請求項２に記載のデータ保持型表示装置。
【請求項９】
前記走査信号線駆動手段による第１の表示部の走査に要する期間と第２の表示部の走査に要する期間とは共に１／２フレーム期間であり、第１の表示部および第２の表示部の走査が同時に開始されることを特徴とする請求項８に記載のデータ保持型表示装置。
【請求項１０】
前記第１および第２の表示部のデータ信号線駆動手段に対して１フレーム周期内に与えられる各補間表示データは、一方の補間表示データが、前記１フレーム周期内にデータ信号線駆動手段に与えられる入力画像信号とこの入力画像信号の１フレーム前の入力画像信号とに基づいて作成されたものであり、他方の補間表示データが、前記１フレーム周期内にデータ信号線駆動手段に与えられる入力画像信号とこの入力画像信号の１フレーム後の入力画像信号とに基づいて作成されたものであることを特徴とする請求項９に記載のデータ保持型表示装置。
【請求項１１】
複数の走査信号線、これら走査信号線と交差するように設けられた複数のデータ信号線、およびこれら両信号線の交差部に対応してマトリクス状に配置された画素を有し、表示領域が走査信号線の並ぶ方向において互いに独立して駆動可能な複数の表示部に分割され、選択された走査信号線に対応する画素にデータ信号線の表示信号が書き込まれるデータ保持型の表示手段を使用し、
前記走査信号線を各表示部同士において並行して走査し、かつ前記表示手段での表示における１周期中の複数の期間において各表示部の走査信号線をそれぞれ順次選択し、これにより各表示部を前記１周期中に前記複数の期間の数だけ繰り返し走査し、
前記複数の期間のうちの少なくとも１期間において、入力画像信号に対応した表示信号と入力画像信号に基づいて作成した補間表示信号との何れか一方の表示信号を前記走査信号線に与え、前記複数の期間のうちの少なくとも他の１期間において、他方の表示信号を与えることを特徴とするデータ保持型表示装置の駆動方法。
【請求項１２】
前記表示手段の表示領域は第１の表示部と第２の表示部とに分割され、
前記表示手段での表示における１周期中の第１の期間とこれに隣接する第２の期間とにおいて、第１および第２の表示部の走査信号線をそれぞれ順次選択し、これにより第１および第２の表示部を前記１周期中に２回繰り返し走査し、
第１の表示部には、前記第１の期間において入力画像信号に対応した表示信号を与え、前記第２の期間において入力画像信号に基づいて作成した補間表示信号を与え、第２の表示部には、前記第１の期間において入力画像信号に基づいて作成した補間表示信号を与え、前記第２の期間において入力画像信号に対応した表示信号を与えることを特徴とする請求項１１に記載のデータ保持型表示装置の駆動方法。
【請求項１３】
前記第１の期間と第２の期間とは１／２フレーム周期ずれていることを特徴とする請求項１２に記載のデータ保持型表示装置の駆動方法。
【請求項１４】
前記走査信号線駆動手段による第１の表示部の走査に要する期間と第２の表示部の走査に要する期間とは共に１／２フレーム期間であり、第１の表示部および第２の表示部の走査が同時に開始されることを特徴とする請求項１３に記載のデータ保持型表示装置の駆動方法。
【請求項１５】
請求項１から１０のいずれか１項に記載のデータ保持型表示装置を備えているテレビジョン受像機。
【発明の詳細な説明】
【０００１】
【発明の属する技術分野】
本発明は、ホールド特性型の表示素子を用いた表示装置に関し、特にマトリクス状に配列された表示素子群を有する表示装置の動画性能改善技術に関するものである。
【０００２】
【従来の技術】
従来、テレビジョンセットなどの表示装置においては、ＣＲＴ（Ｃａｔｈｏｄｅ  Ｒａｙ  Ｔｕｂｅ）が主流であった。しかしながら、近年、省スペース・省電力の特徴に加え、視野角・コントラスト・色再現性等の性能が向上してきたこともあり、液晶表示装置、その中でもマトリクス型の液晶表示装置がＣＲＴにとって代わろうとしている。
【０００３】
マトリクス型の液晶表示装置は、複数の走査信号線、これら複数の走査信号線とほぼ垂直に交差するように設けられた複数のデータ信号線、および上記走査信号線と上記データ信号線の交差する箇所に画素制御用のスイッチとして設けられたＴＦＴ（Ｔｈｉｎ  Ｆｉｌｍ  Ｔｒａｎｓｉｓｔｏｒ：薄膜トランジスタ）を表示領域に有している。さらに液晶表示装置は、上記走査信号線に対して走査信号を出力する走査信号線駆動回路（ゲートドライバ）、上記データ信号線に対して表示データに対応する表示信号を出力するデータ信号線駆動回路（データドライバ）、および上記走査信号線駆動回路とデータ信号線駆動回路とを制御する制御回路（コントローラ）を有している。このような構成において、走査信号にて選択したＴＦＴに接続された画素電極に表示信号を印加し、対向電極との電位差によって液晶画素の配向を制御する。
【０００４】
液晶は容量性負荷であるため、表示信号電圧を画素電極に印加すると、印加された表示信号電圧に応じて変化した配向状態を保持する性質（ホールド特性）がある。このため、液晶表示装置では、ＣＲＴなどと比べてちらつきのない表示画面が得られる。その反面、液晶自身の応答速度、特に中間調の応答が映像入力信号の１フレーム期間で十分に応答しないために、動画表示の場合に残像が見られるといった表示品位低下の問題がある。
【０００５】
また、液晶表示装置では、上記ＴＦＴが非選択の間は、対応する画素に書き込まれた表示信号が保持され続ける。このために、例え液晶の応答速度を速くしたとしても、人間の視線は動画を追跡するために、網膜上に残像が存在する。その結果、表示品位が低下するという問題もある。
【０００６】
そこで、上記問題を解決するために、特開平１１−１０９９２１号公報には次のような液晶表示方法が提案されている。
【０００７】
すなわち、同公報に記載の構成では、画面を上下に２分割し、１フレーム期間の前半では、上画面を信号走査すると同時に下画面を黒信号（ブランキング）走査する。そして、１フレーム期間の後半では、上画面を黒信号（ブランキング）走査すると同時に下画面を信号走査するようにしている。
【０００８】
上記の構成によれば、一画素に着目すると、１フレーム期間中に必ず画像表示期間と黒表示期間の両方があり、特に黒表示期間の存在によって、前後のフレームデータが混在することなく画像を表示することが可能となる。したがって、動画の表示性能を改善することができる。
【０００９】
【特許文献１】
特開平１１−１０９９２１号公報（公開日平成１１年０４月２３日）
【００１０】
【発明が解決しようとする課題】
しかしながら、上記従来の構成では、１フレーム期間において、上画面または下画面のいずれか一方が常に黒表示することになり、表示画面全体の輝度低下を招くことになる。
【００１１】
本発明は、上記の課題を解決するためになされたものであって、画面の輝度を低下させることなく、動画表示の場合に見られる残像による表示品位の低下を防止できるデータ保持型表示装置およびその駆動方法の提供を目的としている。
【００１２】
【課題を解決するための手段】
上記の課題を解決するために、本発明のデータ保持型表示装置は、複数の走査信号線、これら走査信号線と交差するように設けられた複数のデータ信号線、およびこれら両信号線の交差部に対応してマトリクス状に配置された画素を有し、表示領域が走査信号線の並ぶ方向において互いに独立して駆動可能な複数の表示部に分割され、選択された走査信号線に対応する画素にデータ信号線の表示信号が書き込まれるデータ保持型の表示手段と、前記走査信号線を順次選択する走査信号線駆動手段と、前記複数の表示部毎に設けられ、入力した表示データに対応する表示信号をデータ信号線に供給するデータ信号線駆動手段と、前記走査信号線が各表示部同士において並行して走査され、かつ前記表示手段での表示における１周期中の複数の期間（例えば表示部の数と同数の期間）において各表示部の走査信号線がそれぞれ順次選択され、これにより各表示部が前記１周期中に前記複数の期間の数だけ繰り返し走査されるように前記走査信号線駆動手段を制御するとともに、各表示部のデータ信号線駆動手段には、前記複数の期間のうちの少なくとも１期間において、入力画像信号に対応した表示データと入力画像信号に基づいて作成した補間表示データとの何れか一方のデータを与え、前記複数の期間のうちの少なくとも他の１期間において、他方のデータを与える制御手段とを備えていることを特徴としている。
【００１３】
また、本発明のデータ保持型表示装置の駆動方法は、複数の走査信号線、これら走査信号線と交差するように設けられた複数のデータ信号線、およびこれら両信号線の交差部に対応してマトリクス状に配置された画素を有し、表示領域が走査信号線の並ぶ方向において互いに独立して駆動可能な複数の表示部に分割され、選択された走査信号線に対応する画素にデータ信号線の表示信号が書き込まれるデータ保持型の表示手段を使用し、前記走査信号線を各表示部同士において並行して走査し、かつ前記表示手段での表示における１周期中の複数の期間において各表示部の走査信号線をそれぞれ順次選択し、これにより各表示部を前記１周期中に前記複数の期間の数だけ繰り返し走査し、前記複数の期間のうちの少なくとも１期間において、入力画像信号に対応した表示信号と入力画像信号に基づいて作成した補間表示信号との何れか一方の表示信号を前記走査信号線に与え、前記複数の期間のうちの少なくとも他の１期間において、他方の表示信号を与えることを特徴としている。
【００１４】
上記の構成によれば、表示手段の表示領域を分割して形成された複数の表示部をそれぞれ対応するデータ信号線駆動手段により別々に並行して駆動することができる。また、前記表示手段での表示における１周期中（例えば１フレーム中）の複数の期間（例えば表示部の数と同数の期間）において各表示部の走査信号線が順次選択され、これにより各表示部が前記１周期中に前記複数の期間の数だけ繰り返し走査される。この場合、例えば入力画像信号が各表示部に対応して分割され、各表示部のデータ信号線駆動手段には、前記複数の期間のうちの少なくとも１期間に、入力画像信号に対応した表示データと入力画像信号に基づいて作成された補間表示データとの何れか一方のデータが与えられ、前記複数の期間のうちの少なくとも他の１期間に、他方のデータが与えらえる。
【００１５】
したがって、本データ保持型表示装置では、表示部の各走査線を高速に走査する必要がなく、画素への表示データの十分な書き込み時間、およびこの書き込みに対する表示手段の十分な応答時間を確保することができる。
【００１６】
一方、表示手段全体から見れば、倍速駆動、すなわち擬似的な倍速駆動が行われることになり、長期間、同一の表示データが同一の画素に保持されることに起因する動画表示品位の低下を抑制することができる。
【００１７】
また、補間表示データは入力画像信号に基づいて作成されるので、補間表示データを単に黒表示データとする場合に生じる表示画面の輝度低下を防ぐことができる。
【００１８】
上記のデータ保持型表示装置において、前記表示手段の表示領域は第１の表示部と第２の表示部とに分割され、前記制御手段は、前記表示手段での表示における１周期中の第１の期間とこれに隣接する第２の期間とにおいて、第１および第２の表示部の走査信号線がそれぞれ順次選択され、これにより第１および第２の表示部が前記１周期中に２回繰り返し走査されるように前記走査信号線駆動手段を制御するとともに、第１の表示部のデータ信号線駆動手段には、前記第１の期間において入力画像信号に対応した表示データを与え、前記第２の期間において入力画像信号に基づいて作成した補間表示データを与え、第２の表示部のデータ信号線駆動手段には、前記第１の期間において入力画像信号に基づいて作成した補間表示データを与え、前記第２の期間において入力画像信号に対応した表示データを与える構成としてもよい。
【００１９】
また、上記のデータ保持型表示装置の駆動方法は、前記表示手段の表示領域が第１の表示部と第２の表示部とに分割され、前記表示手段での表示における１周期中の第１の期間とこれに隣接する第２の期間とにおいて、第１および第２の表示部の走査信号線をそれぞれ順次選択し、これにより第１および第２の表示部を前記１周期中に２回繰り返し走査し、第１の表示部には、前記第１の期間において入力画像信号に対応した表示信号を与え、前記第２の期間において入力画像信号に基づいて作成した補間表示信号を与え、第２の表示部には、前記第１の期間において入力画像信号に基づいて作成した補間表示信号を与え、前記第２の期間において入力画像信号に対応した表示信号を与える構成としてもよい。
【００２０】
上記の構成によれば、表示手段での表示における１周期中の第１の期間において、第１の表示部には入力画像信号に対応した画像が表示され、第２の表示部には入力画像信号に基づいて作成された補間画像が表示され、また、第２の期間において、第１の表示部には入力画像信号に基づいて作成された補間画像が表示され、第２の表示部には入力画像信号に対応した画像が表示される。
【００２１】
上記のデータ保持型表示装置において、前記補間表示データは、このデータに基づく表示を行う表示部に対応した現１周期の現画像信号とこの現画像信号の１周期前または１周期後の隣接画像信号とを使用して作成される構成としてもよい。
【００２２】
上記の構成によれば、補間表示データは、このデータに基づく表示を行う表示部に対応した現１周期の現画像信号とこの現画像信号の１周期前または１周期後の隣接画像信号とを使用して作成されるので、入力画像信号に対応した表示画像と補間表示データに基づく補間画像とがほぼ連続した画像となる。したがって、円滑な表示を行いつつ、残像を低減して、動画の表示品位を高めることができる。
【００２３】
上記のデータ保持型表示装置において、前記補間表示データの信号レベルは、現画像信号のレベルと隣接画像信号のレベルとが異なる場合に、これら両信号レベルの小さい方の信号レベルよりも大きく、かつ大きい方の信号レベルよりも小さいレベルに設定される構成としてもよい。
【００２４】
上記の構成によれば、入力画像信号に対応した表示画像と補間表示データに基づく補間画像とを適切に連続した画像とすることができ、動画表示における円滑性を高めることができる。
【００２５】
上記のデータ保持型表示装置において、前記補間表示データの信号レベルは、現画像信号のレベルと隣接画像信号のレベルとが異なる場合に、これら両信号レベルの平均レベルに設定される構成としてもよい。
【００２６】
上記のデータ保持型表示装置において、前記制御手段は、前記補間表示データを演算により作成する演算手段を備えている構成としてもよい。
【００２７】
上記の構成によれば、補間表示データは例えば入力画像信号における１フレームの表示データとそのフレームに隣接するフレームの表示データとから、演算により得られるので、ルックアップテーブルなどを用いる場合に比べ、制御手段の回路規模を小さく抑えることが可能である。
【００２８】
上記のデータ保持型表示装置において、前記表示手段での表示における１周期は、入力画像信号の１フレーム周期である構成としてもよい。
【００２９】
上記の構成によれば、データ保持型表示装置の１画像を表示する周期は入力画像信号の１フレーム周期であるので、補間表示データに基づいて表示される補間画像信号と入力画像信号との同期をとるためのメモリが必要なく、補間画像信号の生成のための回路の簡略化を図り得る。
【００３０】
上記のデータ保持型表示装置において、前記第１の期間と第２の期間とは１／２フレーム周期ずれている構成としてもよい。
【００３１】
また、上記のデータ保持型表示装置の駆動方法において、前記第１の期間と第２の期間とは１／２フレーム周期ずれている構成としてもよい。
【００３２】
上記の構成によれば、表示手段の表示領域において、入力画像信号に対応した表示データに基づく表示信号と、補間表示データに基づく表示信号とが同じ比率で存在するので、残像を確実に低減して、さらに良好な動画表示が可能となる。
【００３３】
上記のデータ保持型表示装置において、前記走査信号線駆動手段による第１の表示部の走査に要する期間と第２の表示部の走査に要する期間とは共に１／２フレーム期間であり、第１の表示部および第２の表示部の走査が同時に開始される構成としてもよい。
【００３４】
また、上記のデータ保持型表示装置の駆動方法において、前記走査信号線駆動手段による第１の表示部の走査に要する期間と第２の表示部の走査に要する期間とは共に１／２フレーム期間であり、第１の表示部および第２の表示部の走査が同時に開始される構成としてもよい。
【００３５】
上記の構成によれば、第１の表示部に表示される入力画像信号に対応した画像と第２の表示部に表示される入力画像信号に対応した画像とは連続した画像となり、かつこれら画像は第１の表示部から第２の表示部に渡って時間的に連続して書き込まれる。したがって、第１の表示部と第２の表示との間において、特に、入力画像信号に対応した画像について円滑な表示が可能となる。
【００３６】
上記のデータ保持型表示装置において、前記第１および第２の表示部のデータ信号線駆動手段に対して１フレーム周期内に与えられる各補間表示データは、一方の補間表示データが、前記１フレーム周期内にデータ信号線駆動手段に与えられる入力画像信号とこの入力画像信号の１フレーム前の入力画像信号とに基づいて作成されたものであり、他方の補間表示データが、前記１フレーム周期内にデータ信号線駆動手段に与えられる入力画像信号とこの入力画像信号の１フレーム後の入力画像信号とに基づいて作成されたものである構成としてもよい。
【００３７】
上記の構成によれば、入力画像信号に対応した画像に加えて、第１の表示部に表示される補間表示データに基づく画像と第２の表示部に表示される補間表示データに基づく画像とは連続した画像となり、かつこれら画像は第１の表示部から第２の表示部に渡って時間的に連続して書き込まれる。したがって、第１の表示部と第２の表示との間において、入力画像信号に対応した画像に加えて、補間表示データに対応した画像についても円滑な表示が可能となる。
【００３８】
本発明のテレビジョン受像機は、上記のいずれかのデータ保持型表示装置を備えていることを特徴としている。
【００３９】
【発明の実施の形態】
以下、本発明の実施の形態について液晶表示装置を例に図面を用いて詳細に説明する。尚、本発明の表示装置はデータ保持型の表示装置に適用可能なものであり、必ずしも液晶表示装置に限定されるものではない。
【００４０】
図１は、本実施の形態におけるアクティブマトリクス型液晶表示装置（以下、単に液晶表示装置と称する）の概略構成図である。同図に示すように、液晶表示装置は、表示部（表示手段）１１、走査信号線駆動回路（走査信号線駆動手段）１２、データ信号線駆動回路（データ信号線駆動手段）１３および制御回路（制御手段）１４を備えている。
【００４１】
表示部１１には、本実施の形態において、例えば、走査信号線が４８０本、データ信号線が６４０本設けられているものとする。表示部１１は、上下方向に２分割されており、走査信号線は表示部１１の上下方向に平行に並んでいる。上部の第１表示部１１ａと下部の第２表示部１１ｂには、走査信号線がそれぞれ２４０本ずつ割り当てられている。
【００４２】
走査信号線駆動回路１２は、第１走査信号線駆動回路１２ａと第２走査信号線駆動回路１２ｂとからなる。第１走査信号線駆動回路（走査信号線駆動手段）１２ａは第１表示部１１ａの走査信号線を順次走査し、第２走査信号線駆動回路（走査信号線駆動手段）１２ｂは第２表示部１１ｂの走査信号線を順次走査する。
【００４３】
なお、走査信号線駆動回路１２は、１個の走査信号線駆動回路からなる構成であっても何ら問題ないものの、ここでは第１表示部１１ａおよび第２表示部１１ｂと走査信号線駆動回路１２との対応関係を明確にするために、便宜上、走査信号線駆動回路１２が第１走査信号線駆動回路１２ａおよび第２走査信号線駆動回路１２ｂからなる例を示している。
【００４４】
データ信号線駆動回路１３は、第１信号線駆動回路（第１のデータ信号線駆動手段）１３ａと第２信号線駆動回路（第２のデータ信号線駆動手段）１３ｂとからなる。第１信号線駆動回路１３ａは第１表示部１１ａのデータ信号線に表示データを供給し、第２信号線駆動回路１３ｂは第２表示部１１ｂのデータ信号線に表示データを供給する。
【００４５】
制御回路１４は、第１および第２走査信号線駆動回路１２ａ，１２ｂの動作のタイミングを指示する制御信号、第１および第２信号線駆動回路１３ａ，１３ｂに入力する、表示信号生成の基となる表示データおよび補間用の表示データ等を生成し、それらを各回路に供給する。
【００４６】
表示部１１の第１表示部１１ａは、図２に示すように、２４０本の走査信号線Ｙ１〜Ｙ２４０、および第１のデータ信号線グループを構成する６４０本のデータ信号線Ｘ１〜Ｘ６４０を有し、これら走査信号線とデータ信号線との交差部に画素セルが配置されている。同様に、第２表示部１１ｂは、２４０本の走査信号線Ｙ２４１〜Ｙ４８０、および第２のデータ信号線グループを構成する６４０本のデータ信号線ＸＸ１〜ＸＸ６４０を有し、これら走査信号線とデータ信号線との交差部に画素セルが配置されている。
【００４７】
各画素への表示信号の書き込みは、走査信号線が選択され、その走査信号線に接続されたＴＦＴがオンとなり、そのＴＦＴに接続されたデータ信号線の表示信号がその画素の液晶容量に充電されることにより行われる。
【００４８】
ここで、第１のデータ信号線グループは、第１表示部１１ａに表示信号を書き込むためのものであり、第２のデータ信号線グループは、第２表示部１１ｂに表示信号を書き込むためのものであり、それぞれのグループが６４０本のデータ信号線で構成されている。
【００４９】
図３は、制御回路１４に入力される映像信号（画像信号）、およびこの映像信号に対応した、第１および第２表示部１１ａ，１１ｂに入力される表示信号を示す説明図である。同図の例では入力映像信号の１表示期間を１フレームとしている。
【００５０】
同図において、記号「Ａ」は第１表示部１１ａに対応した映像信号または表示データ（表示信号）を示し、記号「Ｂ」は第２表示部１１ｂに対応した映像信号または表示データ（表示信号）を示している。また、記号「Ａ」、記号「Ｂ」に付記された数字は、フレームの番号であり、若い番号ほど時間的に先のフレームであることを示す。また、第１表示部１１ａに対して１フレームの前半に入力されている「Ａ０・Ａ１」や、第２表示部１１ｂに対して１フレームの後半に入力されている「Ｂ０・Ｂ１」等は、補間表示データ（補間表示信号）であることを示す。
【００５１】
制御回路１４には、１フレーム期間において、第１表示部１１ａへ供給される表示信号に対応した映像信号と第２表示部１１ｂへ供給される表示信号に対応した映像信号とが、通常どおり時系列に入力される。
【００５２】
これに対し、第１表示部１１ａおよび第２表示部１１ｂへは、それぞれで表示される信号が並行して、すなわち同時に入力される。なお、第１および第２表示部１１ａ，１１ｂへの表示信号の入力は同時が好ましいものの、これに限らず時間的に重複していればよい。
【００５３】
従来であれば表示部１１の画素への表示信号の書き込みは１フレーム期間において１回である。これに対し、本液晶表示装置では、第１表示部１１ａおよび第２表示部１１ｂに対して時間的に並行して表示信号を書き込むことにより、表示部１１の画素への表示信号の書き込みは、書き込み速度を変更することなく、すなわち上げることなく、１フレーム期間において２回行われる。これによって、本液晶表示装置では、１フレーム期間において、本来の表示信号の他に補間表示信号を書き込むことを可能としている。
【００５４】
図３に示す例において、第１表示部１１ａには、１フレーム期間の前半に補間表示データＡ０・Ａ１を割り当て、後半に表示データＡ１を割り当てている。一方、第２表示部１１ｂには、１フレーム期間の前半に表示データＢ０を割り当て、後半に補間表示データＢ０・Ｂ１を割り当てている。
【００５５】
補間表示データＡ０・Ａ１は、現入力映像信号の１フレーム前の入力映像信号における１フレーム期間の前半部分と現入力映像信号における１フレーム期間の前半部分とを用いて生成されたものである。表示データＡ１は、現入力映像信号における１フレーム期間の前半部分のみを用いて生成されたものである。
【００５６】
表示データＢ０は、現入力映像信号の１フレーム前の入力映像信号における１フレーム期間の後半部分のみを用いて生成されたものである。補間表示データＢ０・Ｂ１は、現入力映像信号の１フレーム前の入力映像信号における１フレーム期間の後半部分と現入力映像信号における１フレーム期間の後半部分とを用いて生成されたものである。
【００５７】
上記のような、第１表示部１１ａの表示データと第２表示部１１ｂの表示データとの関係は、他のフレーム期間においても同様となっている。
【００５８】
ここで、本実施の形態において、第１表示部１１ａと第２表示部１１ｂとは、それぞれの上部から下部へ順次走査される状態で、同時に画素への書き込みが開始される。したがって、同一フレーム内で見た場合、第１表示部１１ａの最下段の走査信号線Ｙ２４０と第２表示部１１ｂの最上段の走査信号線Ｙ２４１との書き込み時間差は１／２フレーム程度となる。このため、第１表示部１１ａと第２表示部１１ｂとでは、一見、入力映像信号の連続性において若干ずれが発生しているように見える。
【００５９】
しかしながら、図３における表示では、図４に示すように、例えば、現フレームの後半における第１表示部１１ａの表示データＡ１と次のフレームの前半における第２表示部１１ｂの表示データＢ１とが連続性を有する。また、現フレームの前半における第１表示部１１ａの補間表示データＡ０・Ａ１と現フレームの後半における第２表示部１１ｂの補間表示データＢ０・Ｂ１とがほぼ連続性を有する。
【００６０】
したがって、走査信号線Ｙ２４０（第１表示部１１ａ）に対応する画素への表示信号と走査信号線Ｙ２４１（第２表示部１１ｂ）に対応する画素への表示信号との時間的ずれを低減するための表示データの生成としては、図３に記載の組み合わせが望ましい。但し、走査信号線の走査順が上からと限らなければ、必ずしも図３のような表示データ生成である必要はない。
【００６１】
図５は、制御回路１４における表示データ生成部２１の構成を示すブロック図である。この表示データ生成部２１は、第１および第２信号線駆動回路１３ａ，１３ｂに供給するための表示データを生成するものであり、メモリ２２、演算器（演算手段）２３およびセレクタ２４を備えている。メモリ２２は第１表示部１１ａまたは第２表示部１１ｂに対応する入力映像信号を記憶できる容量があればよい。なお、同図では、説明の便宜上、個々の回路出力のずれを修正するためのフリップフロップなどは省いている。また、第１表示部１１ａに対する表示データ生成部２１の構成として説明を行う。
【００６２】
まず、第１表示部１１ａに対応する入力映像信号は、メモリ２２に記憶されるとともに演算器に２３に入力される。垂直同期はメモリ２２およびセレクタ２４の動作タイミングの基準となっている。メモリ２２に記憶された入力映像信号は、その読み出し時に表示信号として演算器２３とセレクタ２４とに入力される。
【００６３】
演算器２３では入力映像信号とメモリ２２の読み出し信号である表示データとを用いて補間表示データを生成し、セレクタ２４に入力する。セレクタ２４では、表示信号と補間表示データとを垂直同期のタイミングを基準として図示しないクロックにて切り替え、その何れかを出力信号として後段の第１信号線駆動回路１３ａに出力する。
【００６４】
なお、表示データ生成部２１は、第２表示部１１ｂに対応するものについても基本的に同様の構成であるが、第２信号線駆動回路１３ｂへ出力する表示データと補間表示データとの切替えタイミングが第１表示部１１ａの場合と比べ、１／２フレーム期間後ろにずれている。
【００６５】
次に、補間表示データについて説明する。
補間表示データのレベル（階調レベル）は、表示部１１におけるフレーム間信号を補間する目的から、補間すべき対象となる２フレームの入力映像信号レベルの中間レベルであることが望ましい。
【００６６】
また、補間表示データは、演算器２３の簡略化を考慮すると、補間すべき対象となる２フレームの入力映像信号レベルの平均値であることが望ましい。このようにすると、入力映像信号がディジタル値の場合、２フレームの入力映像信号レベルを加算処理した後に、ビットシフトするのみでよく、構成が簡単になる。
【００６７】
図６は、例えば補間表示データＡ０・Ａ１がとり得るレベルの範囲を示す説明図である。同図では補間表示データＡ０・Ａ１がとり得る範囲を矢印にて示している。すなわち、補間表示データＡ０・Ａ１は、表示データＡ０よりも大きく、かつ表示データＡ１よりも小さい範囲のレベル（値）に設定することができる。
【００６８】
補間表示データのレベルは、理想的には上記のように、表示データＡ０のレベルと表示データＡ１のレベルとの中間レベルである。このようなレベルの補間表示データを得る場合の前記演算器２３の具体的な構成を図７に示す。
【００６９】
同図の構成では、表示データＡ０のレベルと表示データＡ１のレベルとを加算器３１にて加算し、その出力を除算器３２にて１／２に除算している。なお、除算器３２の具体的動作は、加算器３１での加算値を１ビットだけシフトするものである。
【００７０】
また、補間表示データのレベルとしては、表示データＡ０，Ａ１のレベルを単純に平均したものばかりでなく、重み付けを行ったものであってもよい。重み付けの方向は、適宜選択可能であるが、例えば表示データが変化する方向に設定してもよい。具体的には、前フレームの表示データＡ０から現フレームの表示データＡ１に変化する場合、重み付けは表示データＡ１のレベルの方向に行ってもよい。このようなレベルの補間表示データを得る場合の前記演算器２３の具体的な構成を図８に示す。
【００７１】
同図の構成では、表示データＡ０のレベルを加算器３１にて１回加算する一方、表示データＡ１のレベルを加算器３１にて３回加算し、その結果を除算器３３にて１／４に除算している。なお、除算器３３の具体的動作は、加算器３１での最終的な加算値を２ビットだけシフトするものである。また、各Ｄフリップフロップ３４は単にタイミングをとるだけのものである。
【００７２】
補間表示データを決定する演算器２３の構成としては上記のものに限定されることなく、その他、種々の構成が可能である。例えば、図９に示すように、表示データＡ０の値と表示データＡ１の値から対応する補間表示データＡ０・Ａ１の値を取り出せるルックアップテーブルを使用するものであってもよい。
【００７３】
以上のように、本実施の形態の液晶表示装置では、表示部１１を第１表示部１１ａと第２表示部１１ｂに分割するとともに、これら第１および第２表示部１１ａ，１１ｂを独立してかつ並行して駆動している。この場合、１フレーム期間の前半において、一方の表示部、例えば第１表示部１１ａ（第１表示部１１ａの各画素）に入力映像信号に対応した表示信号を与えているときには、他方の表示部、例えば第２表示部１１ｂ（第２表示部１１ｂの各画素）に入力映像信号に基づいて作成した補間表示信号（補間表示データ）、例えば現入力映像信号とこの現入力映像信号の１フレーム前の入力映像信号とに基づいて作成された補間表示信号を与えている。そして、１フレーム期間の後半には、第１表示部１１ａと第２表示部１１ｂとで、それらに与える表示信号（表示データ）の関係を逆にしている。すなわち、１フレーム期間の後半には、第１表示部１１ａ（第１表示部１１ａの各画素）に入力映像信号に基づいて作成した補間表示信号を与え、第２表示部１１ｂ（第２表示部１１ｂの各画素）に入力映像信号に対応した表示信号を与えている。
【００７４】
したがって、本液晶表示装置では、表示部１１全体を１フレーム期間で見た場合、倍速で表示信号の書き込みが行われたこと、すなわちフレーム周波数が倍化されたことになる。これにより、表示における動画のボケを抑制することができる。
【００７５】
また、入力映像信号に対応した表示信号が書き込まれる一方の表示部に対して、他方の表示部には入力映像信号に基づいて作成された補間表示信号が書き込まれるので、単に黒表示信号を書き込む場合と比較して表示画面全体の輝度低下を防止することができる。
【００７６】
しかも、表示部１１全体としては表示信号の書き込み速度が倍速化されているものの、第１および第２表示部１１ａ，１１ｂの個々においての書き込み速度は倍速化する必要がない。したがって、表示信号の書き込みに対する液晶の応答時間を十分に確保することができる。
【００７７】
なお、補間表示データ（補間表示信号）としては、上記のように、現入力映像信号とこの現入力映像信号の１フレーム前の入力映像信号とに基づいて作成されるものであるのが好ましいものの、これに限定されず、入力映像信号に基づいて作成されたものであればよい。
【００７８】
また、上記の例においては、表示部１１を２分割した場合について示したが、分割数については、これに限定されることなく、３以上であってもよい。この場合には、分割数に応じた信号線駆動回路を設け、制御回路１４から各信号線駆動回路へ入力映像信号に応じた表示データと入力映像信号に基づいて作成した補間表示データを供給すればよい。
【００７９】
また、１フレーム期間における表示部１１への表示信号の書き込み回数を２回として説明しているが、この期間は３回以上としてもよい。また、この書き込み回数は、表示部１１の分割数に応じて設定してもよい。
【００８０】
図１０には、表示部１１を走査信号線の並ぶ方向において例えば３分割し、１フレーム期間における表示部１１への表示信号の書き込み回数を表示部１１の分割数と同数の３回とした例を示す。
【００８１】
この場合には、表示部１１を３分割（例えば同数の走査信号線を含むように３分割）して第１〜第３表示部１１ｐ，１１ｑ，１１ｒを形成し、これら、第１〜第３表示部１１ｐ，１１ｑ，１１ｒに対応して、図１に示した場合と同様、第１〜第３信号線駆動回路を設ける。また、１フレーム期間を例えば１／３フレームずつに分割して第１〜第３期間とする。そして、制御回路１４からは、第１〜第３信号線駆動回路に対して、第１〜第３の３期間においてそれぞれ入力映像信号に対応した表示データまたは入力映像信号に基づいて作成した補間表示データを与える。これにより、各表示部には、１フレームにおいて３回、入力映像信号に対応した表示信号または入力映像信号に基づいて作成された補間表示信号が書き込まれる。
【００８２】
すなわち、１フレーム期間における表示部１１への表示信号の書き込みを３回とし、そのうちの１回分は入力映像信号そのもの（入力映像信号に対応した表示信号）を書き込み、残りの２回は入力映像信号に基づいて作成した補間表示信号を書き込む。このとき、上記２回分の補間表示信号（補間表示データ）は、表示部１１に表示される映像が連続したものとなるように、入力映像信号間を補間するものとして生成することが望ましい。
【００８３】
具体的には、図１０に示す例において、第１表示部１１ｐには、１フレーム期間における第１期間および第２期間に補間表示データＡ１・Ａ２を割り当て、第３期間に表示データＡ２を割り当てている。第２表示部１１ｑには、上記１フレーム期間の第１期間に表示データＢ１を割り当て、第２期間および第３期間に補間表示データＢ１・Ｂ２を割り当てている。第３表示部１１ｒには、上記１フレーム期間の第１期間に補間表示データＣ０・Ｃ１を割り当て、第２期間に表示データＣ１を割り当て、第３期間に補間表示データＣ１・Ｃ２を割り当てている。
【００８４】
なお、表示データＡ，Ｂ，Ｃは、それぞれ、第１〜第３表示部１１ｐ，１１ｑ，１１ｒに対応する表示データである。
【００８５】
図１０の例においては、現フレームの第１表示部１１ｐの第１期間における補間表示データＡ１・Ａ２、現フレーム第２表示部１１ｑの第２期間における補間表示データＢ１・Ｂ２、および現フレームの第３表示部１１ｒの第３期間における補間表示データＣ１・Ｃ２とが連続性を有する。また、現フレームの第１表示部１１ｐの第２期間における補間表示データＡ１・Ａ２、現フレームの第２表示部１１ｑの第３期間における補間表示データＢ１・Ｂ２、および次フレームの第３表示部１１ｒの第１期間における補間表示データＣ１・Ｃ２とが連続性を有する。また、現フレームの第１表示部１１ｐの第３期間における表示データＡ２、次フレームの第２表示部１１ｑの第１期間における表示データＢ２、および次フレームの第３表示部１１ｒの第２期間における表示データＣ２が連続性を有する。
【００８６】
以上の説明においては、本願発明をアクティブマトリクス型の液晶表示装置に適用した場合を例に説明しているものの、本発明は、これに限定されることなく、データ保持型のアクティブマトリクス型表示装置であれば適用可能である。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８８】
【発明の効果】
以上のように、本発明のデータ保持型表示装置は、複数の走査信号線、これら走査信号線と交差するように設けられた複数のデータ信号線、およびこれら両信号線の交差部に対応してマトリクス状に配置された画素を有し、表示領域が走査信号線の並ぶ方向において互いに独立して駆動可能な複数の表示部に分割され、選択された走査信号線に対応する画素にデータ信号線の表示信号が書き込まれるデータ保持型の表示手段と、前記走査信号線を順次選択する走査信号線駆動手段と、前記複数の表示部毎に設けられ、入力した表示データに対応する表示信号をデータ信号線に供給するデータ信号線駆動手段と、前記走査信号線が各表示部同士において並行して走査され、かつ前記表示手段での表示における１周期中の複数の期間において各表示部の走査信号線がそれぞれ順次選択され、これにより各表示部が前記１周期中に前記複数の期間の数だけ繰り返し走査されるように前記走査信号線駆動手段を制御するとともに、各表示部のデータ信号線駆動手段には、前記複数の期間のうちの少なくとも１期間において、入力画像信号に対応した表示データと入力画像信号に基づいて作成した補間表示データとの何れか一方のデータを与え、前記複数の期間のうちの少なくとも他の１期間において、他方のデータを与える制御手段とを備えている構成である。
【００８９】
上記の構成によれば、表示手段の表示領域を分割して形成された複数の表示部をそれぞれ対応するデータ信号線駆動手段により別々に並行して駆動することができる。また、前記表示手段での表示における１周期中（例えば１フレーム中）の複数の期間（例えば表示部の数と同数の期間）において各表示部の走査信号線が順次選択され、これにより各表示部が前記１周期中に前記複数の期間の数だけ繰り返し走査される。この場合、例えば入力画像信号が各表示部に対応して分割され、各表示部のデータ信号線駆動手段には、前記複数の期間のうちの少なくとも１期間に、入力画像信号に対応した表示データと入力画像信号に基づいて作成された補間表示データとの何れか一方のデータが与えられ、前記複数の期間のうちの少なくとも他の１期間に、他方のデータが与えらえる。
【００９０】
したがって、本データ保持型表示装置では、表示部の各走査線を高速に走査する必要がなく、画素への表示データの十分な書き込み時間、およびこの書き込みに対する表示手段の十分な応答時間を確保することができる。
【００９１】
一方、表示手段全体から見れば、倍速駆動、すなわち擬似的な倍速駆動が行われることになり、長期間、同一の表示データが同一の画素に保持されることに起因する動画表示品位の低下を抑制することができる。
【００９２】
また、補間表示データは入力画像信号に基づいて作成されるので、補間表示データを単に黒表示データとする場合に生じる表示画面の輝度低下を防ぐことができる。
【図面の簡単な説明】
【図１】本発明の実施の一形態における液晶表示装置の構成を示す概略のブロック図である。
【図２】図１示した表示部の構成を示す概略の回路図である。
【図３】図１に示した制御回路への入力映像信号、並びに第１および第２表示部への入力信号を示す説明図である。
【図４】第１および第２表示部への入力信号相互の関係の説明図である。
【図５】図１に示した制御回路における表示データ生成部の構成を示すブロック図である。
【図６】図５に示した表示データ生成部において生成される補間表示データの説明図である。
【図７】図５に示した演算器について、補間表示データとして現入力映像信号と１フレーム前の入力映像信号との平均値を出力する場合の構成を示すブロック図である。
【図８】図５に示した演算器について、重み付けをした補間表示データを出力する場合の構成を示すブロック図である。
【図９】図４に示した表示データ生成部において、補間表示データを生成する構成の他の例として使用されるルックアップテーブルを示す模式図である。
【図１０】図３に示したものとは別の例における制御回路への入力映像信号、並びに表示部への入力信号を示す説明図である。
【符号の説明】
１１    表示部（表示手段）
１１ａ  第１表示部
１１ｂ  第２表示部
１２    走査信号線駆動回路（走査信号線駆動手段）
１２ａ  第１走査信号線駆動回路
１２ｂ  第２走査信号線駆動回路
１３    データ信号線駆動回路（データ信号線駆動手段）
１３ａ  第１信号線駆動回路
１３ｂ  第２信号線駆動回路
１４    制御回路（制御手段）
２１    表示データ生成部
２３    演算器（演算手段）
【図１】
2004309657.tif 000003
【図２】
2004309657.tif 000004
【図３】
2004309657.tif 000005
【図４】
2004309657.tif 000006
【図５】
2004309657.tif 000007
【図６】
2004309657.tif 000008
【図７】
2004309657.tif 000009
【図８】
2004309657.tif 000010
【図９】
2004309657.tif 000011
【図１０】
2004309657.tif 000012